(57)【特許請求の範囲】
【請求項１】
放送番組を受信して放送ストリームを抽出するストリーム抽出部と、
使用者の操作を認識する操作認識部と、
第１の記憶部と、
複数の録画モードのうち、前記使用者によって前記操作認識部を介して選択された録画モードで前記放送ストリームを前記第１の記憶部に記憶させる録画部と、
前記第１の記憶部に記憶された前記放送ストリームを記憶可能で、記録媒体が交換可能な第２の記憶部と、
表示部１５０に表示するための表示信号を出力する表示信号出力部と、
前記第１の記憶部に記憶される予定の前記放送ストリームの録画に適用可能な複数の録画モードを前記表示部に表示させる録画モード提示部と、
を備え、
前記録画モード提示部は、前記複数の録画モードを表示する際に、前記第２の記憶部で受け付け可能な録画モードが識別可能に前記表示部に表示されるように、前記表示信号出力部に前記表示信号を出力させる、
録画装置。
【請求項２】
前記録画モード提示部は、前記第２の記憶部で受け付け可能な録画モードが、前記第２の記憶部で受け付け不可能な録画モードよりも目立って前記表示部に表示されるように前記表示信号出力部に前記表示信号を出力させる、
請求項１に記載の録画装置。
【請求項３】
前記録画モード提示部が表示する複数の録画モードのうち、前記第２の記憶部で受け付け可能な録画モードのみが、前記使用者によって前記操作認識部を介して選択可能である、
請求項２に記載の録画装置。
【請求項４】
前記録画モード提示部は、前記第２の記憶部で受け付け可能な録画モードを、前記使用者が操作認識部を介して選択した記録媒体の種類に基づいて決定する、
請求項１から請求項３のいずれか一項に記載の録画装置。
【請求項５】
前記録画モード提示部は、前記第２の記憶部で受け付け可能な録画モードを、前記第２の記憶部に装填されている記録媒体に基づいて決定する、
請求項１から請求項３のいずれか一項に記載の録画装置。
【請求項６】
前記録画モードとは、映像信号の解像度、映像符号化方式、映像信号のフレームレート、映像信号のビットレート、音声符号化方式の１つ又は複数を規定するモードである、
請求項１から請求項５のいずれか一項に記載の録画装置。
【請求項７】
前記第１の記憶部はハードディスク・ドライブである、
請求項１から請求項６のいずれか一項に記載の録画装置。
【請求項８】
前記第２の記憶部は、光ディスクを交換可能な光ディスク・ドライブである、
請求項１から請求項７のいずれか一項に記載の録画装置。
【発明の詳細な説明】
【技術分野】
【０００１】
本発明は録画装置に関する。
【背景技術】
【０００２】
近年、デジタル放送を録画する録画装置として、デジタル信号を直接録画するだけでなく、デコーダ（復号化器）とエンコーダ（符号化器）を搭載し、デジタル信号の解像度や符号化方式を変更し、ビットレートを下げて録画する録画装置が知られている。ビットレートを下げて録画することにより、より長時間の番組の録画が可能となる。
【０００３】
デジタル信号の解像度や符号化方式を変更し、ビットレートを下げる処理は、エンコード（符号化）されて放送されてきたデジタル信号をデコーダが一旦デコード（復号化）し、それをエンコーダが所望の解像度や符号化方式、ビットレートで再エンコードすることによって実現される。
【０００４】
なお本明細書では、デジタル信号のストリームをデコーダおよびエンコーダを用いて、ビットレートや録画モード、符号化方式等の仕様を変換して録画する録画方式を「再エンコード録画」と称し、デジタル信号の仕様を変更せずに直接録画する録画方式を「ストリーム直接録画」と称する。
【０００５】
このように、デジタル放送番組を録画するときにはストリーム直接録画だけでなく、解像度や符号化方式、ビットレートを選択する再エンコード録画が可能である。再エンコード録画を行う際に、使用者は、解像度や符号化方式、ビットレートの組み合わせから１つの録画モードを選択しなければならない。
【０００６】
また、内蔵もしくは接続されたＨＤＤ等の記憶装置に録画されたデジタル放送番組は、ＢＤ（Ｂｌｕ−Ｒａｙ  Ｄｉｓｃ）やＤＶＤ等の記憶媒体にダビングして保管することができる。ダビング先の記憶媒体の種類によって受け付け可能な録画モードが異なる。従って、ダビングを効率よく行うためには、デジタル放送番組を録画する際に、多数の録画モードの中から、記憶媒体の種類に応じて適切な録画モードを使用者が選択することが求められていた。
【０００７】
例えば特許文献１においては、デジタル信号のストリームを記憶装置へ録画予約する際に使用者が録画モードを選択する負担を軽減するために、使用可能な録画モードを予め使用者に選択させて絞り込んでおくことで、録画予約時に表示される録画モードの選択肢を減らしている。
【先行技術文献】
【特許文献】
【０００８】
【特許文献１】特開２０１１−２４９９４９号公報
【発明の概要】
【発明が解決しようとする課題】
【０００９】
しかし、特許文献１に記載の装置では、使用者自身が使用する録画モードを予め選択して絞り込んでおく必要があった。そのため、録画モードに関する知識の乏しい使用者にとっては必ずしも使い勝手が良いものではなかった。
【００１０】
また、ＨＤＤ等の記憶装置に録画したデジタル放送番組を、ＢＤやＤＶＤ等の記憶媒体にダビングするときに、記憶装置に録画されているデジタル放送番組の録画モードと、ダビング先の記憶媒体が受け付け可能な録画モードが一致しない場合があった。この場合、再エンコードダビングを行う必要があった。ここで、「再エンコードダビング」とは、録画されたストリームを再度デコーダで一旦デコードし、それをエンコーダが解像度や符号化方式、ビットレートで再エンコードして、ダビング先の記憶媒体が受け付け可能な録画モードに変換しながらダビングを行う動作である。
【００１１】
再エンコードダビングは、一般的にＨＤＤ等の記憶装置に録画したデジタル放送番組の時間とほぼ同等の時間を要する。更に再エンコード録画されてＨＤＤ等の記憶装置に録画されているデジタル放送番組に対して、再度デコードとエンコードを行うことで、画質や音質が劣化してしまう可能性がある。
【００１２】
ＨＤＤ等の記憶装置に録画したデジタル放送番組に対して、再エンコードダビングを行わず、短時間でかつ画質や音質を劣化させずにＢＤやＤＶＤ等の記憶媒体にダビングするには、最初にデジタル信号番組をＨＤＤ等の記憶装置へ録画予約する際に、ダビング先の記憶媒体が受け付け可能な録画モードを使用者自身が選択しなければならなかった。
【００１３】
本発明は以上のような課題を解決するためになされたものであり、デジタル信号番組を記憶装置へ録画予約する際に、別の記憶装置の記憶媒体が受け付け可能な録画モードを使用者が識別することが可能な録画装置の提供を目的とする。
【課題を解決するための手段】
【００１４】
本発明に係る録画装置は、放送番組を受信して放送ストリームを抽出するストリーム抽出部と、使用者の操作を認識する操作認識部と、第１の記憶部と、複数の録画モードのうち、使用者によって操作認識部を介して選択された録画モードで放送ストリームを第１の記憶部に記憶させる録画部と、第１の記憶部に記憶された放送ストリームを記憶可能で、記録媒体が交換可能な第２の記憶部と、表示部に表示するための表示信号を出力する表示信号出力部と、第１の記憶部に記憶される予定の放送ストリームの録画に適用可能な複数の録画モードを表示部に表示させる録画モード提示部と、を備え、録画モード提示部は、複数の録画モードを表示する際に、第２の記憶部で受け付け可能な録画モードが識別可能に表示部に表示されるように、表示信号出力部に表示信号を出力させる。
【発明の効果】
【００１５】
本発明に係る録画装置は、第１の記憶部に対して録画を行う複数の録画モードを表示させる際に、第２の記憶部で受け付け可能な録画モードを識別可能に表示させる。これにより、使用者は、再エンコードを必要としない高速ダビングが可能な録画モードを容易に選択することが可能となる。
【図面の簡単な説明】
【００１６】
【図１】本発明の実施形態に係る記録装置のブロック図である。
【図２】本発明の実施形態に係る記録装置の詳細なブロック図である。
【図３】本発明の実施形態に係る記録装置のハードウェア構成図である。
【図４】本発明の実施形態に係る記録装置の録画予約設定画面を示す模式図である。
【図５】本発明の実施形態に係る記録装置の比較例としての録画予約設定画面を示す模式図である。
【発明を実施するための形態】
【００１７】
＜本発明の実施形態＞
＜構成＞
図１は、本発明の実施形態における録画装置１００のブロック図である。図１に示すように、録画装置１００は、ストリーム抽出部１０２と、操作認識部１３１と、録画部１４０と、第１、第２の記憶部１０７ａ，１０７ｂと、表示信号出力部１１２と、録画モード提示部１１１とを備える。
【００１８】
ストリーム抽出部１０２は、放送番組を受信して放送ストリームを抽出する。操作認識部１３１は、録画装置１００に対する使用者の操作を認識する。録画部１４０は、複数の録画モードのうち、使用者によって操作認識部１３１を介して選択された録画モードで放送ストリームを第１の記憶部１０７ａに記憶させる。
【００１９】
第２の記憶部１０７ｂは、第１の記憶部１０７ａに記憶された放送ストリームを記憶可能である。また、第２の記憶部１０７ｂにおいて記録媒体が交換可能である。表示信号出力部１１２は、表示部１５０に表示するための表示信号を出力する。
【００２０】
録画モード提示部１１１は、第１の記憶部１０７ａに記憶される予定の放送ストリームの録画に適用可能な複数の録画モードを表示部１５０に表示させる。録画モード提示部１１１は、複数の録画モードを表示する際に、第２の記憶部１０７ｂで受け付け可能な録画モードが識別可能に表示部１５０に表示されるように、表示信号出力部１１２に表示信号を出力させる。
【００２１】
図２は、録画装置１００の詳細なブロック図である。図２に示すように、録画装置１００は、ストリーム抽出部１０２と、ストリーム制御部１０６と、記憶部１０７とを備える。ストリーム抽出部１０２は、チューナ部１０２ａとトランスポートストリームデコーダ部１０２ｂ（以降、ＴＳデコーダ部１０２ｂとも記載する）を備える。
【００２２】
録画装置１００はさらに、デコーダ部１０８と、エンコーダ部１１０とを備える。また、録画装置１００はさらに、制御部１２０と、ＲＯＭ（Ｒｅａｄ  Ｏｎｌｙ  Ｍｅｍｏｒｙ）部１２１と、ＲＡＭ（Ｒａｎｄｏｍ  Ａｃｃｅｓｓ  Ｍｅｍｏｒｙ）部１２２とを備える。また、録画装置１００はさらに、外部の操作部１３０（例えばリモコン等）からの信号を受信する操作認識部１３１を備える。各部はバスライン１２３により制御部１２０と接続されている。
【００２３】
図１における録画部１４０は、図２における制御部１２０、ＲＯＭ部１２１、ＲＡＭ部１２２、ストリーム制御部１０６、デコーダ部１０８およびエンコーダ部１１０によって実現される。
【００２４】
チューナ部１０２ａは、外部アンテナ１０１から複数のデジタル放送チャンネルを含むＲＦ（Ｒａｄｉｏ  Ｆｒｅｑｕｅｎｃｙ）信号を受信し、任意の放送電波周波数に対する同調処理と復調処理を行い、録画用トランスポートストリーム（以降、録画用ＴＳと記載）を抽出する。録画用ＴＳは、ＴＳデコーダ部１０２ｂに入力される。ＴＳデコーダ部１０２ｂは、録画用ＴＳから再生に必要な情報（映像情報、音声情報など）のみを含んだ録画用パーシャルトランスポートストリーム（以降、第１の放送ストリームと記載する）を抽出する。第１の放送ストリームは、ストリーム制御部１０６に入力される。ストリーム制御部１０６は、第１の放送ストリームを記憶部１０７にストリーム直接録画する。記憶部１０７は、第１、第２の記憶部１０７ａ，１０７ｂを備える。第１の記憶部１０７ａは、例えばハードディスク・ドライブ（ＨＤＤ：Ｈａｒｄ  Ｄｉｓｋ  Ｄｒｉｖｅ）である。また、第２の記憶部１０７ｂは、例えば記憶媒体（光ディスク）を交換可能な光ディスク・ドライブである。
【００２５】
また、ストリーム制御部１０６は、ＴＳデコーダ部１０２ｂから入力される第１の放送ストリームを、デコーダ部１０８に対して出力することも可能である。デコーダ部１０８は、デコードした映像および音声信号を、エンコーダ部１１０に出力することもできる。エンコーダ部１１０は、受信した映像および音声信号をエンコードして再エンコード録画用パーシャルトランスポートストリーム（以降、第２の放送ストリームと記載する）を生成することができる。第２の放送ストリームは、ストリーム制御部１０６を介して記憶部１０７に録画される。
【００２６】
ストリーム制御部１０６は、番組視聴時にはＴＳデコーダ部１０２ｂから受信した第１の放送ストリームをデコーダ部１０８に対して出力する。デコーダ部１０８は、第１の放送ストリームをデコードし、映像信号および音声信号を生成する。映像信号は表示信号出力部１１２から外部の表示部１５０に出力される。音声信号は音声信号出力部１１３から外部のスピーカー１６０等に出力される。
【００２７】
また、ストリーム制御部１０６は、番組再生時には記憶部１０７から読み出した第１または第２の放送ストリームを、デコーダ部１０８に対して出力する。デコーダ部１０８は、第１または第２の放送ストリームをデコードし、映像信号および音声信号を生成する。映像信号は表示信号出力部１１２から外部の表示部１５０に出力される。音声信号は音声信号出力部１１３から外部のスピーカー１６０等に出力される。
【００２８】
制御部１２０は例えばマイクロコンピュータにより実現される。制御部１２０は、ＲＯＭ部１２１に格納されたプログラムコードに従って動作し、ＲＡＭ部１２２をワーク領域として使用する。チューナ部１０２ａ、ＴＳデコーダ部１０２ｂ、ストリーム制御部１０６、デコーダ部１０８およびエンコーダ部１１０は、バスライン１２３を介して制御部１２０から制御される。
【００２９】
操作認識部１３１は、リモコン、赤外線送信機等を含む操作部１３０から、使用者の操作命令を受信する。操作認識部１３１は、バスライン１２３を介して制御部１２０に接続されている。
【００３０】
図３は、録画装置１００のハードウェア構成図である。操作認識部１３１および表示信号出力部１１２は、入出力インターフェースＨＷ３により実現される。入出力インターフェースＨＷ３は、例えばリモコン等の操作部からの信号を受信可能なインターフェースを備える。また、入出力インターフェースＨＷ３は、表示部としてのディスプレイを接続可能なインターフェースを備える。
【００３１】
第１の記憶部１０７ａは、第１の記憶装置ＨＷ４により実現される。第１の記憶装置ＨＷ４は、例えばハードディスク・ドライブである。また、第２の記憶部１０７ｂは、第２の記憶装置ＨＷ５により実現される。第２の記憶装置ＨＷ５は、例えば、光ディスクを交換可能な光ディスク・ドライブである。
【００３２】
ストリーム抽出部１０２、録画部１４０および録画モード提示部１１１は、処理回路ＨＷ１によって実現される。処理回路ＨＷ１は、専用のハードウェアであっても、メモリＨＷ２に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００３３】
処理回路ＨＷ１が専用のハードウェアである場合、処理回路ＨＷ１は、例えば、単一回路、複合回路、プログラム化したプロセッサ、並列プログラム化したプロセッサ、ＡＳＩＣ、ＦＰＧＡ、またはこれらを組み合わせたものが該当する。
【００３４】
処理回路ＨＷ１がＣＰＵの場合、ストリーム抽出部１０２、録画部１４０および録画モード提示部１１１の機能はソフトウェア、ファームウェア、またはソフトウェアとファームウェアとの組み合わせにより実現される。ソフトウェアやファームウェアはプログラムとして記述され、メモリＨＷ２に格納される。処理回路ＨＷ１は、メモリＨＷ２に記憶されたプログラムを読み出して実行することにより、ストリーム抽出部１０２、録画部１４０および録画モード提示部１１１の機能を実現する。また、このプログラムは、ストリーム抽出部１０２、録画部１４０および録画モード提示部１１１の手順や方法をコンピュータに実行させるものであるともいえる。ここで、メモリＨＷ２とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００３５】
なお、ストリーム抽出部１０２、録画部１４０および録画モード提示部１１１の機能について、一部を専用のハードウェアで実現し、一部をソフトウェアまたはファームウェアで実現するようにしてもよい。
【００３６】
＜番組視聴時の動作＞
録画装置１００を使用して、デジタル放送番組の視聴を行う場合について説明する。使用者が操作部１３０の電源キーを押下すると、相当するキーコードが操作認識部１３１を経由して制御部１２０に送信される。制御部１２０は、チューナ部１０２ａを制御して、任意の（一般的には前回視聴した際に最後に選局していた）チャンネル周波数に同調させ、復調処理を開始する。復調処理が完了すると、制御部１２０は、ＴＳデコーダ部１０２ｂを制御して、録画用ＴＳの中からＰＳＩ（Ｐｒｏｇｒａｍ  Ｓｐｅｃｉｆｉｃ  Ｉｎｆｏｒｍａｔｉｏｎ）情報と呼ばれる番組を特定するための情報を抽出して解析し、放送番組の映像信号、音声信号などのデータパケットをフィルタリングして第１の放送ストリームを生成する。また、制御部１２０は、番組タイトルや番組ジャンルなどの番組属性を格納するＳＩ（Ｓｅｒｖｉｃｅ  Ｉｎｆｏｒｍａｔｉｏｎ）情報と呼ばれる番組配列情報も抽出して解析を行う。
【００３７】
次に、制御部１２０は、ストリーム制御部１０６を制御して、第１の放送ストリームをそのままデコーダ部１０８に送信する。デコーダ部１０８は、第１の放送ストリームから映像信号および音声信号を生成する。デジタル放送の映像信号は、ＭＰＥＧ−２方式、Ｈ．２６４方式（ＭＰＥＧ４−ＡＶＣ方式とも呼ばれる）等の符号化方式によって符号化されている。デジタル放送の音声信号は、ＭＰＥＧ−２  ＡＡＣ（Ａｄｖａｎｃｅｄ  Ａｕｄｉｏ  Ｃｏｄｉｎｇ）方式、Ｄｏｌｂｙ  Ｄｉｇｉｔａｌ方式等の符号化方式を使用してデータ圧縮されている。制御部１２０は、デコーダ部１０８に内蔵されたＭＰＥＧ２／Ｈ．２６４デコーダ、ＭＰＥＧ−２  ＡＡＣデコーダ等を使用して、第１の放送ストリームを非圧縮の映像信号および音声信号に復号する。復号された映像信号は表示信号出力部１１２から外部の表示部１５０に出力される。復号された音声信号は音声信号出力部１１３から外部のスピーカー１６０等に出力される。
【００３８】
以上により、使用者は任意のチャンネルで現在放送されている番組の映像と音声を視聴することができる。
【００３９】
＜番組録画動作＞
録画装置１００を使用して、現在受信中のデジタル放送番組の録画を行う動作について説明する。使用者が操作部１３０に設けられた録画キーを押下することにより、相当するキーコードが操作認識部１３１を経由して制御部１２０に送信される。すると制御部１２０は、放送番組の録画処理を開始する。視聴を開始した段階でストリーム制御部１０６には、既に第１の放送ストリームが入力されているので、制御部１２０は、ストリーム制御部１０６を制御して、記憶部１０７に第１の放送ストリームを録画する。以上の動作により、受信中のデジタル放送番組が「ストリーム直接録画」される。
【００４０】
また、録画を開始した段階でストリーム制御部１０６は、ＴＳデコーダ部１０２ｂから受信した第１の放送ストリームを、デコーダ部１０８に対して出力している。デコーダ部１０８は、第１ストリームから映像信号および音声信号を生成している。制御部１２０は、この動作に加え、デコーダ部１０８を制御して、デコードした映像信号および音声信号を、エンコーダ部１１０に出力することも可能である。制御部１２０は、エンコーダ部１１０を制御して、映像信号および音声信号をエンコードして第２の放送ストリームを生成する。次に、制御部１２０は、ストリーム制御部１０６を制御して、第２の放送ストリームを記憶部１０７に録画する。以上の動作により、受信中のデジタル放送番組が「再エンコード録画」される。
【００４１】
使用者が操作部１３０に設けられた停止キーを押下すると、相当するキーコードが操作認識部１３１を経由して制御部１２０に送信される。すると制御部１２０は、現在実行中の番組録画動作の停止処理を開始する。制御部１２０は、ストリーム制御部１０６を制御して記憶部１０７への第１または第２の放送ストリームの録画を停止する。
【００４２】
デコーダ部１０８とエンコーダ部１１０を使用して、例えば符号化方式がＨ．２６４方式で符号化された第１ストリームを、符号化方式がＭＰＥＧ−２方式で符号化された第２の放送ストリームに再エンコードすることにより、ストリームの仕様（録画モード）を変更することができる。具体的には、第１の放送ストリームの符号化方式を変更したり、解像度やフレームレートを変更したりすることで、第２の放送ストリームの仕様を変更することが可能である。ストリーム仕様変更により、例えばＨ．２６４符号化方式に対応していない記憶媒体（例えばＤＶＤ等）にストリームをコピー（ダビング）することが容易になる。
【００４３】
なお、上述の「ストリーム直接録画」と「再エンコード録画」はいずれか一方だけ行われてもよいし、同時に行われてもよい。また、上記の番組視聴動作と番組録画動作においては、使用者が操作部１３０を操作することにより動作を開始した。一方、予約録画などのように、あらかじめ指定された番組の放送時刻に自動的に録画装置１００を起動させて、番組録画動作を開始することも可能である。使用者が、番組録画動作を事前に録画装置１００に設定する（以降、録画予約と記載する）手順については後述する。
【００４４】
＜番組ダビング動作＞
録画装置１００を使用して、第１の記憶部１０７ａに記憶されたデジタル放送番組（放送ストリーム）を第２の記憶部１０７ｂの記憶媒体にダビング（コピー）する動作について説明する。ダビングを行う場合、「再エンコードダビング」と「高速ダビング」の２つの方法がある。
【００４５】
再エンコードダビングを行う場合、制御部１２０は、ストリーム制御部１０６を制御して、第１の記憶部１０７ａに記憶されている第１の放送ストリームを読み出し、デコーダ部１０８に出力する。ここで、例えば第１の放送ストリームは、解像度が２Ｋで符号化方式がＭＰＥＧ２方式で録画されているものとする。
【００４６】
次に、制御部１２０は、デコーダ部１０８を制御して、デコードした映像信号および音声信号をエンコーダ部１１０に出力する。次に、制御部１２０は、エンコーダ部１１０を制御して、受信した映像信号および音声信号をエンコードして第２の放送ストリームを生成する。ここで、第２ストリームは、解像度を標準画質とし、符号化方式はＭＰＥＧ２方式のままとする。そして、制御部１２０は、ストリーム制御部１０６を制御して、第２の放送ストリームを第２の記憶部１０７ｂに出力する。第２の記憶部１０７ｂにおいて、装填された記憶媒体に第２の放送ストリームが書き込まれる。
【００４７】
以上の動作により、第１の記憶部１０７ａに録画済みのデジタル放送番組が、第２の記憶部１０７ｂに「再エンコードダビング」される。
【００４８】
再エンコードダビングは、デコーダ部１０８とエンコーダ部１１０を使用して、ストリームを再エンコードすることでストリームの仕様（録画モード）を変更する。これにより、第２の記憶部１０７ｂに装填された記憶媒体に適した仕様に、放送ストリームの仕様を変更することが可能である。しかしながら、再エンコードダビングは、録画したデジタル放送番組の放送時間と同じだけの時間をダビングに要するため、多くの電力を消費してしまう。さらに、デコードおよびエンコードの処理回数が増えるため、画質も劣化してしまう。
【００４９】
一方、高速ダビングの場合、制御部１２０は、ストリーム制御部１０６を制御して、第１の記憶部１０７ａに記憶された第１の放送ストリームを読み出して、暗号化、復号化等の最小限の処理をしたのちに、第２の記憶部１０７ｂに出力する。第２の記憶部１０７ｂにおいて、装填された記憶媒体に、最小限の処理がなされた第１の放送ストリームが書き込まれる。高速ダビングは再エンコードの処理を必要としないため、ダビングに要する時間を大幅に短縮することができる。
【００５０】
ただし、高速ダビングを行うためには、第１の記憶部１０７ａに録画されている第１の放送ストリームの録画モード（符号化方式や解像度などの仕様）が、第２の記憶部１０７ｂで受け付け可能な録画モードである必要がある。つまり、第１の記憶部１０７ａに録画されている第１の放送ストリームの録画モードが第２の記憶部１０７ｂで受け付け可能な録画モードでない場合は、上述した再エンコードダビングを行う必要がある。
【００５１】
＜番組再生動作＞
録画装置１００を使用して、記憶部１０７に録画済みのデジタル放送番組を再生する動作について説明する。使用者が操作部１３０に設けられた再生キーを押下することにより、相当するキーコードが操作認識部１３１を経由して制御部１２０に送信される。すると制御部１２０は、放送番組の再生処理を開始する。
【００５２】
制御部１２０は、ストリーム制御部１０６を制御して、記憶部１０７に記憶された第１または第２の放送ストリーム、すなわち録画済み番組ストリームを読み出して、デコーダ部１０８に送信する。次に、制御部１２０は、デコーダ部１０８を制御して第１または第２の放送ストリームから映像信号および音声信号を生成する。以降の動作は番組視聴動作と同様であるため、説明を省略する。
【００５３】
＜録画予約動作＞
録画装置１００を使用して、放送予定のデジタル放送番組を録画予約する動作について説明する。使用者が操作部１３０に設けられた番組表キーを押下することにより、相当するキーコードが操作認識部１３１を経由して制御部１２０に送信される。すると制御部１２０は、デコーダ部１０８に内蔵されたグラフィック表示機能を使用して、表示信号出力部１１２から表示部１５０に対して番組表画面を表示させる。番組表は制御部１２０が解析したＳＩ情報などを元に生成される。使用者は番組表に表示された番組の一覧から、操作部１３０に設けられた上下左右キー、決定キー等を使用して録画を希望する任意の番組を選択し、録画予約設定画面を表示する。
【００５４】
図４は、本実施形態における録画予約設定画面の模式図である。また、図５は、本実施形態の比較例としての録画予約設定画面の模式図である。
【００５５】
まず、図５を用いて、本実施形態の比較例としての録画予約設定画面について説明する。図５に示すように、録画予約設定画面には、録画チャンネル設定ウィンドウ２０１、録画日付設定ウィンドウ２０２、開始時刻設定ウィンドウ２０３、終了時刻設定ウィンドウ２０４、録画先メディア設定ウィンドウ２０５、録画モード設定ウィンドウ２０６、予約確定ボタン２０７が表示されている。フレーム２０８は、現在どのウィンドウ又はボタンが操作対象として選択されているかを示す。
【００５６】
使用者は、操作部１３０に設けられた左右キーなどを操作して、フレーム２０８を移動させることにより、設定を行うウィンドウを選択する。そして、使用者は操作部１３０に設けられた上下キーなどを操作して、選択したウィンドウに対して設定を行う。
【００５７】
録画チャンネル設定ウィンドウ２０１においては、録画予約を行う番組が放送されるチャンネルの設定が行われる。録画日付設定ウィンドウ２０２においては、録画を予約する日付の設定が行われる。開始時刻設定ウィンドウ２０３においては、録画を開始する時刻が設定される。終了時刻設定ウィンドウ２０４においては、録画を終了する時刻が設定される。
【００５８】
録画先メディア設定ウィンドウ２０５においては、録画先の記憶装置（第１の記憶部１０７ａに録画するか、第２の記憶部１０７ｂに録画するか）が選択される。
【００５９】
図５に示すように、録画モード表示領域２０９には、録画先メディア設定ウィンドウ２０５において選択された録画先への録画に適用可能な録画モードの一覧が表示される。図５においては、ＨＤ画質（高精細度ビデオ画質）で録画可能な録画モードとして、「ＤＲ」、「ＡＦ」、「ＡＮ」、「ＡＥ」が選択可能に表示されている。また、録画モード表示領域２０９には、標準画質で録画可能な録画モードとして「ＸＰ」、「ＳＰ」、「ＬＰ」、「ＥＰ」が選択可能に表示されている。上記合計８個の録画モードの中から録画に適用する録画モードが使用者によって選択される。使用者は操作部１３０に設けられた上下キーなどを操作して、カーソル２１０を移動させることにより録画に適用する録画モードを選択する。
【００６０】
なお、録画モード表示領域２０９において、録画モードの表示の横には「画質優先」、「時間優先」など録画モードの特徴が表示されている。また、説明表示領域２１１には、現在選択されている録画モードに関する説明が表示される。
【００６１】
録画モード「ＤＲ」は、ダイレクトレコーディングを意味し、映像信号の圧縮を行わずに第１の放送ストリームの録画を行うモードである。即ち、「ＤＲ」は放送波そのままのビットレートで録画を行うモードである。「ＤＲ」の音声符号化方式はＭＰＥＧ−２  ＡＡＣ方式である。
【００６２】
また、録画モード「ＡＦ」、「ＡＮ」、「ＡＥ」のそれぞれは、Ｈ．２６４の映像符号化方式で映像信号の圧縮を行うモードである。「ＡＦ」、「ＡＮ」、「ＡＥ」のビットレートはそれぞれ、約１３Ｍｂｐｓ、約８．５Ｍｂｐｓ、約５．５Ｍｂｐｓである。つまり、「ＡＦ」、「ＡＮ」、「ＡＥ」の順に画質が高い。言い換えると、「ＡＦ」、「ＡＮ」、「ＡＥ」の順に圧縮率が高くなり、より長時間の録画が可能となる。「ＡＦ」、「ＡＮ」、「ＡＥ」の音声符号化方式はＭＰＥＧ−２  ＡＡＣ方式である。
【００６３】
また、録画モード「ＸＰ」、「ＳＰ」、「ＬＰ」、「ＥＰ」のそれぞれは、ＭＰＥＧ−２の映像符号化方式で映像信号の圧縮を行うモードである。「ＸＰ」、「ＳＰ」、「ＬＰ」、「ＥＰ」の順に画質が高い。言い換えると、「ＸＰ」、「ＳＰ」、「ＬＰ」、「ＥＰ」の順に圧縮率が高くなり、より長時間の録画が可能となる。「ＸＰ」、「ＳＰ」、「ＬＰ」、「ＥＰ」の音声符号化方式はＤｏｌｂｙ  Ｄｉｇｉｔａｌ方式である。
【００６４】
また、録画モード「ＤＲ」、「ＡＦ」、「ＡＮ」、「ＡＥ」、「ＸＰ」、「ＳＰ」、「ＬＰ」、「ＥＰ」の順に映像信号の解像度およびフレームレートも小さくなる。
【００６５】
使用者にとっては、第１の記憶部１０７ａに放送番組を一旦録画した後、第１の記憶部１０７ａに録画した番組を第２の記憶部１０７ｂにダビングする場合に、高速ダビングを行えることが好ましい。高速ダビングを可能とするためには、第１の記憶部１０７ａに放送番組を録画する際に、第２の記憶部１０７ｂで受け付け可能な録画モードを選択する必要がある。
【００６６】
しかしながら、図５で示す比較例としての録画予約設定画面においては、録画モード表示領域２０９に表示されている録画モードのうち、どの録画モードが第２の記憶部１０７ｂで受け付け可能な録画モードであるか、使用者は識別することができなかった。
【００６７】
次に、図４を用いて、本実施形態における録画予約設定画面について説明する。本実施形態における録画予約設定画面は、比較例（図５）に対して、ダビング先ディスク設定ウィンドウ３０１、ダビング先ディスク表示領域３０２をさらに備える。また、本実施形態における録画予約設定画面は、比較例（図５）に対して録画モード表示領域２０９における録画モードの一覧の表示が異なる。
【００６８】
ダビング先ディスク設定ウィンドウ３０１においては、ダビング先の記録媒体（第２の記憶部１０７ｂに装填される記録媒体）の種類が選択される。図４に示すように、ダビング先ディスク表示領域３０２には、第２の記憶部１０７ｂに装填可能な記憶媒体の一覧が表示される。図４においては、第２の記憶部１０７ｂに装填可能であり、ＨＤ画質で記憶可能な記憶媒体として「ブルーレイディスク」、「ＤＶＤ（ＡＶＣＲＥＣ）」が選択可能に表示されている。また、ダビング先ディスク表示領域３０２には、第２の記憶部１０７ｂに装填可能であり、標準画質で記憶可能な記憶媒体として「ＤＶＤ（ＶＲ）」、「ＤＶＤ（Ｖｉｄｅｏ）」が選択可能に表示されている。ここで、ＤＶＤ（ＶＲ）は、ＶＲ（Ｖｉｄｅｏ  Ｒｅｃｏｒｄｉｎｇ）フォーマットのＤＶＤディスクを示している。
【００６９】
上記合計４個の記憶媒体の種類の中からダビング先となる記憶媒体の種類が使用者によって選択される。使用者は操作部１３０に設けられた上下キーなどを操作して、カーソル３０３を移動させることによりダビング先の記憶媒体の種類を選択する。ここでは、使用者が「ＤＶＤ（ＶＲ）」を選択したものとする。
【００７０】
次に使用者は、操作部１３０に設けられた左右キーなどを操作して、カーソル２０８を移動させ、録画モード設定ウィンドウ２０６を選択する。そして、使用者は操作部１３０に設けられた上下キーなどを操作して、カーソル２１０を移動させ、録画モード表示領域２０９に表示された録画モードを選択する。
【００７１】
本実施形態において、録画モード提示部１１１は、録画モード表示領域２０９に録画モードの一覧を表示する際に、第２の記憶部１０７ｂで受け付け可能な録画モードが識別可能に表示部１５０に表示されるように、表示信号出力部１１２に表示信号を出力させる。
【００７２】
図４においては、ダビング先ディスク設定ウィンドウ３０１においては、ダビング先の記憶媒体の種類として「ＤＶＤ（ＶＲ）」が選択されている。そのため、録画モード提示部１１１は、録画モード表示領域２０９に表示される録画モードの一覧において、ＤＶＤ（ＶＲ）で受け付け可能な録画モードが視覚的に識別可能に表示されるように表示信号出力部１１２を制御する。
【００７３】
ＤＶＤ（ＶＲ）では標準画質の録画モード（「ＸＰ」、「ＳＰ」、「ＬＰ」、「ＥＰ」）が受け付け可能であり、ＨＤ画質の録画モード（「ＤＲ」、「ＡＦ」、「ＡＮ」、「ＡＥ」）は受け付け不可能である。そのため、例えば、録画モード提示部１１１は、録画モード表示領域２０９において「ＸＰ」、「ＳＰ」、「ＬＰ」、「ＥＰ」を使用者にとって目立つ色（例えば背景色が白の場合、黒）で表示する。一方、「ＤＲ」、「ＡＦ」、「ＡＮ」、「ＡＥ」は使用者にとって目立たない色（例えば背景色が白の場合、灰色）で表示する。
【００７４】
また、録画モード提示部１１１は、図５に示すように文字の太さを変えることにより第２の記憶部１０７ｂで受け付け可能な録画モードを識別可能に表示させてもよい。この場合、例えば、受け付け可能な録画モードである「ＸＰ」、「ＳＰ」、「ＬＰ」、「ＥＰ」は目立つように太字で表示される。一方、受け付け不可能な録画モード「ＤＲ」、「ＡＦ」、「ＡＮ」、「ＡＥ」は目立たないように細字で表示される。また、文字の色、文字の太さ、文字の大きさ等を組み合わせて録画モードを識別可能にしてもよい。また、例えば、録画モードの横に「ダビングにおすすめ」等の文字を表示させることで識別可能にしてもよい。
【００７５】
ＤＶＤ（ＶＲ）は、ＶＲ（Ｖｉｄｅｏ  Ｒｅｃｏｒｄｉｎｇ）フォーマットのＤＶＤディスクを示しており、標準画質の録画モードでしか録画することができない。すなわち、デジタル放送番組を第１の記憶部１０７ａに録画する際に、ＨＤ（Ｈｉｇｈ  Ｄｅｆｉｎｉｔｉｏｎ）画質で録画すると、第２の記憶部１０７ｂに装填されたＤＶＤ（ＶＲ）ディスクにダビングする場合に再エンコードダビングが必要となり、録画したデジタル放送番組の放送時間と同じだけの時間をダビングに要し、多くの電力を消費してしまうと共に、画質も劣化してしまう。
【００７６】
本実施の形態では、カーソル３０３で選択した記憶媒体の種類に基づいて、録画モード表示領域２０９に表示される録画モードの一覧において、高速ダビングが可能な録画モードと、可能でない録画モードが識別可能に表示される。これにより、使用者が意図せずにダビングに適していない、即ち高速ダビングができない録画モードで録画予約を行うことを防止できる。
【００７７】
なお、上述した実施例において、録画モード表示領域２０９に表示される録画モードのうち、第２の記憶部１０７ｂで受け付け可能な録画モードのみが、使用者によって選択可能としてもよい。これにより、使用者は、高速ダビングが可能な録画モードを確実に選択することが可能となる。
【００７８】
なお、上述した実施例においては、ダビング先ディスク表示領域３０２に表示されている記憶媒体の一覧から使用者自身が記憶媒体の種類を選択することによって、ダビング先ディスク設定ウィンドウ３０１にダビング先の記憶媒体の種類が設定された。ダビング先の記憶媒体の種類の設定方法はこれに限らない。例えば、第２の記憶部１０７ｂに実際に装填されている記憶媒体に基づいて、ダビング先ディスク設定ウィンドウ３０１にダビング先の記憶媒体の種類が設定されてもよい。これにより、使用者がダビングに用いる記憶媒体を予め第２の記憶部１０７ｂに装填しておけば、使用者が記憶媒体の種類（ディスクの種類）に関する知識が乏しい場合でも正確に記憶媒体の種類を設定することができる。
【００７９】
また、録画予約設定画面における録画モード提示部１１１の動作を説明したが、録画予約に限らず、通常録画において録画モードを選択する際にも録画モード提示部１１１が同様の動作を行ってもよい。
【００８０】
＜効果＞
本発明の実施形態における録画装置１００は、放送番組を受信して放送ストリームを抽出するストリーム抽出部１０２と、使用者の操作を認識する操作認識部１３１と、第１の記憶部１０７ａと、複数の録画モードのうち、使用者によって操作認識部１３１を介して選択された録画モードで放送ストリームを第１の記憶部１０７ａに記憶させる録画部１４０と、第１の記憶部１０７ａに記憶された放送ストリームを記憶可能で、記録媒体が交換可能な第２の記憶部１０７ｂと、表示部１５０に表示するための表示信号を出力する表示信号出力部１１２と、第１の記憶部１０７ａに記憶される予定の放送ストリームの録画に適用可能な複数の録画モードを表示部１５０に表示させる録画モード提示部１１１と、を備え、録画モード提示部１１１は、複数の録画モードを表示する際に、第２の記憶部１０７ｂで受け付け可能な録画モードが識別可能に表示部１５０に表示されるように、表示信号出力部１１２に表示信号を出力させる。
【００８１】
本実施形態における録画装置１００は、第１の記憶部１０７ａに対して録画を行う録画モードの一覧（即ち複数の録画モード）を表示する際に、第２の記憶部１０７ｂで受け付け可能な録画モードを識別可能に表示する。これにより、使用者は、第２の記憶部１０７ｂに対して高速ダビング（即ち、再エンコード処理を必要としないダビング）が可能な録画モードを容易に選択することが可能となる。
【００８２】
第１の記憶部１０７ａに高速ダビングが可能な録画モードで放送ストリームが記憶されることにより、録画番組（放送ストリーム）を第２の記憶部１０７ｂにダビングする際に、ダビングに要する時間が短縮され、使用者の利便性が向上する。また、画質および音質の劣化を抑えたダビングが可能となる。ダビングに要する時間が短縮されることにより、録画装置１００の消費電力量を抑制する効果も得られる。
【００８３】
また、本発明の実施形態における録画装置１００において、録画モード提示部１１１は、第２の記憶部１０７ｂで受け付け可能な録画モードが、第２の記憶部１０７ｂで受け付け不可能な録画モードよりも目立って表示部１５０に表示されるように表示信号出力部１１２に表示信号を出力させる。
【００８４】
従って、録画モード提示部１１１が、第２の記憶部１０７ｂで受け付け可能な録画モードを、第２の記憶部１０７ｂで受け付け不可能な録画モードよりも目立たせて表示することにより、使用者は、第２の記憶部１０７ｂで受け付け可能な録画モードを識別することが可能である。
【００８５】
また、本発明の実施形態における録画装置１００において、録画モード提示部１１１が表示する複数の録画モードのうち、第２の記憶部１０７ｂで受け付け可能な録画モードのみが、使用者によって操作認識部１３１を介して選択可能としてもよい。
【００８６】
従って、第２の記憶部１０７ｂで受け付け可能な録画モードのみを選択可能とすることにより、高速ダビングが可能な録画モードを確実に使用者に選択させることが可能となる。
【００８７】
また、本発明の実施形態における録画装置１００において、録画モード提示部１１１は、第２の記憶部１０７ｂで受け付け可能な録画モードを、使用者が操作認識部１３１を介して選択した記録媒体の種類に基づいて決定する。
【００８８】
従って、録画モード提示部１１１は、まず、使用者にダビング先の記憶媒体を選択させることにより、その記憶媒体で受け付け可能な録画モードを識別可能に表示することが可能である。
【００８９】
また、本発明の実施形態における録画装置１００において、録画モード提示部１１１は、第２の記憶部１０７ｂで受け付け可能な録画モードを、第２の記憶部１０７ｂに装填されている記録媒体に基づいて決定してもよい。
【００９０】
従って、使用者がダビングに用いる記憶媒体を予め第２の記憶部１０７ｂに装填しておけば、使用者が記憶媒体の種類（ディスクの種類）に関する知識が乏しい場合でも正確に記憶媒体の種類を設定することができる。
【００９１】
また、本発明の実施形態における録画装置１００において、前記録画モードとは、映像信号の解像度、映像符号化方式、映像信号のフレームレート、映像信号のビットレート、音声符号化方式の１つ又は複数を規定するモードである、
【００９２】
従って、録画装置１００において録画モードを選択することにより、例えば、映像符号化方式（Ｈ．２６４方式又はＭＰＥＧ２方式）、音声符号化方式（ＭＰＥＧ−２  ＡＡＣ方式又はＤｏｌｂｙ  Ｄｉｇｉｔａｌ方式）等が規定される。
【００９３】
また、本発明の実施形態における録画装置１００において、第１の記憶部１０７ａはハードディスク・ドライブである。
【００９４】
録画装置１００において、第１の記憶部１０７ａをハードディスク・ドライブとすることにより長時間の番組録画が可能である。
【００９５】
また、本発明の実施形態における録画装置１００において、第２の記憶部１０７ｂは、光ディスクを交換可能な光ディスク・ドライブである。
【００９６】
録画装置１００において、第２の記憶部１０７ｂを光ディスク・ドライブとすることにより、複数の種類（即ち複数のフォーマット）の光ディスクを利用することが可能となる。
【００９７】
なお、本発明は、その発明の範囲内において、実施の形態を適宜、変形、省略することが可能である。
【産業上の利用可能性】
【００９８】
本発明に係る録画装置は、ハードディスク内蔵デジタル放送録画機やテレビジョン受信機など、複数の解像度と複数の符号化方式に対応した放送番組を受信して外部又は内部のディスプレイに表示する機器だけでなく、それらの放送番組を記憶装置にデジタル録画し、録画した番組を異なる記憶媒体にダビングすることを目的とする機器に適用可能である。
【符号の説明】
【００９９】
１００  録画装置、１０１  外部アンテナ、１０２  ストリーム抽出部、１０２ａ  チューナ部、１０２ｂ  トランスポートストリームデコーダ部、１０６  ストリーム制御部、１０７  記憶部、１０７ａ  第１の記憶部、１０７ｂ  第２の記憶部、１０８  デコーダ部、１１０  エンコーダ部、１１１  録画モード提示部、１１２  表示信号出力部、１１３  音声信号出力部、１２０  制御部、１２１  ＲＯＭ部、１２２  ＲＡＭ部、１２３  バスライン、１３１  操作認識部、１３０  操作部、１４０  録画部、１５０  表示部、１６０  スピーカー、２０１  録画チャンネル設定ウィンドウ、２０２  録画日付設定ウィンドウ、２０３  開始時刻設定ウィンドウ、２０４  終了時刻設定ウィンドウ、２０５  録画先メディア設定ウィンドウ、２０６  録画モード設定ウィンドウ、２０７  予約設定ボタン、２０８  フレーム、２１０，３０３  カーソル、２０９  録画モード表示領域、３０１  ダビング先ディスク選択ウィンドウ、３０２  ダビング先ディスク表示領域。
【図１】
0006608313.tif 000002
【図２】
0006608313.tif 000003
【図３】
0006608313.tif 000004
【図４】
0006608313.tif 000005
【図５】
0006608313.tif 000006